(57)【要約】【課題】 360°全周にブリムがある帽子であっても、耳当てを、内側使用状態と、外側不使用状態とに、簡単に切替できる帽子を提供する。【解決手段】クラウン１とブリム２の境界線Ｇに沿って、貫通スリット部４を左右一対貫設する。【選択図】図５
0003141358.tif 000002
【実用新案登録請求の範囲】
【請求項１】
クラウン（１）と、該クラウン（１）の 360°全周に渡って突設されたブリム（２）とを備えた帽子に於て、上記クラウン（１）とブリム（２）の境界線（Ｇ）に沿って貫通スリット部（４）を左右に一対貫設すると共に、該貫通スリット部（４）近傍に基部（13）を取着した耳当て（３）を該貫通スリット部（４）を介して挿通し、上記耳当て（３）を内外各位置に切替可能に構成されていることを特徴とする帽子。
【請求項２】
クラウン（１）と、該クラウン（１）の 360°全周に渡って突設されたブリム（２）とを備えた帽子に於て、上記クラウン（１）とブリム（２）の境界線（Ｇ）に沿って三ヶ月状に貫通スリット部（４）を左右に一対貫設すると共に、該貫通スリット部（４）近傍に基部（13）を取着した耳当て（３）を該貫通スリット部（４）を介して挿通し、上記耳当て（３）を、内側使用状態と外側不使用状態となるように内外各位置に切替可能に構成されていることを特徴とする帽子。
【請求項３】
クラウン（１）と、該クラウン（１）の 360°全周に渡って突設されたブリム（２）とを備えた帽子に於て、上記クラウン（１）とブリム（２）の境界線（Ｇ）に沿って三ヶ月状に貫通スリット部（４）を左右に一対貫設すると共に、上記ブリム（２）の径方向の継ぎ目（５）を上記貫通スリット部（４）の長手方向中央の位置に配設し、さらに、該貫通スリット部（４）近傍に基部（13）の取着帯片（３Ｂ）を取着した耳当て（３）を該貫通スリット部（４）を介して挿通し、上記耳当て（３）を、内側使用状態と外側不使用状態となるように内外各位置に切替可能に構成し、外側不使用状態では上記クラウン（１）の側面上方部位に保持具（９）にて上記耳当て（３）が保持されるように構成されていることを特徴とする帽子。
【考案の詳細な説明】
【技術分野】
【０００１】
本考案は、耳当てを有する帽子に関する。
【背景技術】
【０００２】
従来、防寒用のため等の耳当てを有する帽子は、大半が前方にのみつばを有するキャップ型帽子であった（例えば、特許文献１，２参照）。
【特許文献１】実公昭６３−４８６５７号公報
【特許文献２】特開２００８−７８６４号公報
【考案の開示】
【考案が解決しようとする課題】
【０００３】
従来から、耳当てを有する帽子の大半がキャップ型であった理由は、耳当て使用状態と不使用状態に切替える際に、仮に、 360°全周につば（ブリム）が存在すると、切替が不可能となるためであった。
従来、無理に耳当てを 360°全周にブリムが存在する帽子に付設すると、常時、耳に当たる使用状態のみの帽子とするか、あるいは、不使用状態で、クラウン内面に取着させる必要があった。
前者では、寒くなるときに不都合であり、後者では、頭の大きさに対して、クラウン内面内径が減少して、被りづらくなる欠点があった。
【課題を解決するための手段】
【０００４】
そこで、本考案は、クラウンと、該クラウンの 360°全周に渡って突設されたブリムとを備えた帽子に於て、上記クラウンとブリムの境界線に沿って貫通スリット部を左右に一対貫設すると共に、該貫通スリット部近傍に基部を取着した耳当てを該貫通スリット部を介して挿通し、上記耳当てを内外各位置に切替可能に構成されている。
【０００５】
また、クラウンと、該クラウンの 360°全周に渡って突設されたブリムとを備えた帽子に於て、上記クラウンとブリムの境界線に沿って三ヶ月状に貫通スリット部を左右に一対貫設すると共に、該貫通スリット部近傍に基部を取着した耳当てを該貫通スリット部を介して挿通し、上記耳当てを、内側使用状態と外側不使用状態となるように内外各位置に切替可能に構成されている。
【０００６】
また、クラウンと、該クラウンの 360°全周に渡って突設されたブリムとを備えた帽子に於て、上記クラウンとブリムの境界線に沿って三ヶ月状に貫通スリット部を左右に一対貫設すると共に、上記ブリムの径方向の継ぎ目を上記貫通スリット部の長手方向中央の位置に配設し、さらに、該貫通スリット部近傍に基部の取着帯片を取着した耳当てを、該貫通スリット部を介して挿通し、上記耳当てを、内側使用状態と外側不使用状態となるように内外各位置に切替可能に構成し、外側不使用状態では上記クラウンの側面上方部位に保持具にて上記耳当てが保持されるように構成されている。
【考案の効果】
【０００７】
本考案によれば、 360°全周にブリムを備えているにもかかわらず、耳当てを（内側の）使用状態としたり、不使用時には、貫通スリット部から耳当てを挿通して外部へ出して、頭部や顔に全く邪魔とならない外方位置に、簡単に切替できる。
さらに、表裏切替自在とした（いわゆる）リバーシブル帽子として好適である。
このように、 360°全周にブリムを有する帽子でありながら、耳当てを、使用状態と不使用状態に簡単迅速に切替が可能で、使い易く、被り心地も良好で、デザインも優れたものとなる。
【考案を実施するための最良の形態】
【０００８】
以下、図示の実施の形態に基づき本考案を詳説する。
図１と図２の使用状態説明用正面図、図３と図４の要部断面図、図５の要部平面図に於て、本考案の実施の一形態を示す。
帽子Ａは、クラウン（冠体）１と、このクラウン１の 360°全周に渡って、水平方向乃至外方下傾状に、突設されたブリム（つば，庇）２とを、備えていると共に、耳当て３，３が付設されている。
【０００９】
クラウン１とブリム２の境界線Ｇに沿って、左右一対の貫通スリット部４，４が貫設（形成）されている。この貫通スリット部４は三ヶ月状とするのが好ましい（図５参照）。また、ブリム２の径方向の継ぎ目（はぎ目又は合せ目）５は、図５に示す如く、三ヶ月状のスリット部４の長手方向中央位置に配設するのが良い。
つまり、全体的に多数の布片を縫製にて製作される本考案に係る帽子Ａでは、所定幅の２枚のブリム形成布片の内周縁６に内周に沿って浅い切欠を形成しておけば、自ら、三ヶ月状に、貫通スリット部４が、他の部位の縫製によって、形成される。
【００１０】
耳当て３は、防寒用として、又は、装飾用として、柔らかい短毛や柔らかい繊維等を外面に有する円盤型や楕円盤型や半円盤型や略正方形盤等とした本体３Ａと、取着帯片３Ｂとを、有する。つまり、耳当て３は、その基部13に取着帯片３Ｂを有する。
なお、図５では、耳当て３を図示省略して帽子Ａの全体を示す。
この耳当て３の基部13（取着帯片３Ｂ）を、上記貫通スリット部４の近傍に取着する。
【００１１】
裏面のスウェットバンド（帯体）７の縫製８と同時に、基部13をも縫製するのが望ましい。つまり、この場合は、三ヶ月状貫通スリット部４の上縁の裏面に、基部13（取着帯３Ｂ）が、縫製８にて取着される。
図３に於て、９は保持具であり、耳当て３の不使用状態では、クラウン１の側面上方部位に（逆立状に）保持するためのものであって、この保持具９は、具体的には、ボタン10と小輪紐11とから、成っている。即ち、クラウン１の左右各々の側面上方部位に、ボタン10を糸で取着し、他方、耳当て３に於て、取着帯片３Ｂと上下反対側に、小輪紐11を取着して、係脱自在に、耳当て３を、保持できる。
なお、保持具９としては、雌雄面状ファスナーを使用したり、又は、ホックを用いることも、自由である。
【００１２】
図１と図３、及び、図２と図４に示すように、耳当て３は、貫通スリット部４を介して、内外挿通自在である。つまり、耳当て３は、貫通スリット部４を介して（内から外へ、あるいは、外から内へ）挿通し、耳当て３を、外側不使用状態と、内側使用状態となるように、外内各位置に切替可能に構成されている。
【００１３】
外側不使用状態では、図１と図３に示すように、クラウン１の外側面に、上記保持具９にて、耳当て３が保持され、従来のクラウン内側に取着した耳当てのように被った際の邪魔とは、ならない。
内側使用状態では、図２と図４に示す如く、耳当て３は垂下状態となって、耳を十分に保護できる。つまり、（比較例として）ブリム内面に付設した場合には、ブリム２を下方に大きく傾斜させる必要があったが、本考案では、水平状にまで、ブリム２を拡げても良く、ブリム２の傾斜とデザインの自由度が広がる。
【００１４】
ところで、スウェットバンド７を省略し、かつ、クラウン１（及びブリム２）の内外の生地を、いずれも、外面にも使用可能とした、（いわゆる）リバーシブル帽子Ａとした場合に、図４でも、明らかなように、耳当て３は、スリット部４を通して、内外いずれの側にも、移動可能であるので、耳当て付きリバーシブル帽子としても好適である。
【００１５】
なお、帽子Ａの形状や、その生地の縫製方法や芯材の有無、耳当て３の構造等は、図面（図１〜図５）以外に設計変更自由であり、図面の実施の形態に限られない。
【図面の簡単な説明】
【００１６】
【図１】本考案の実施の一形態を示す使用状態説明用の正面面である。
【図２】本考案の実施の一形態を示す使用状態説明用の正面面である。
【図３】外側不使用状態の要部断面図である。
【図４】内側使用状態の要部断面図である。
【図５】平面簡略説明図である。
【符号の説明】
【００１７】
１  クラウン
２  ブリム
３  耳当て
３Ｂ  取着帯片
４  貫通スリット部
５  継ぎ目
９  保持具
13  基部
Ａ  帽子
Ｇ  境界線
【図１】
0003141358.tif 000003
【図２】
0003141358.tif 000004
【図３】
0003141358.tif 000005
【図４】
0003141358.tif 000006
【図５】
0003141358.tif 000007